(57)【要約】      （修正有）【課題】チェーンを用いずに回転駆動ができる装置コストが安く、故障確率が低い回転棚装置を提供する。【解決手段】左右に立設した支持スタンドと、支持スタンドを介して上下に配した回転体１０と、回転体の中心を水平に連絡する回転シャフト１６と、回転シャフトの一つを回転駆動させるモータＭと、回転体を介して上下方向に駆動される棚板支持材とを備え、棚板支持材は、水平棒材である支持材本体２１と、支持材本体の上下を連絡してリング状とする索条（連絡紐材）２４とを備え、回転体は、その外周部に、支持材本体の端部を暫時嵌入させる凹部１１を備える。凹部に嵌入する支持材本体が回転体の回転に伴って動くので、索条を介してリング状に連絡した棚板支持材は上下に配した回転体に従って、上下楕円軌道をエンドレスで回転する。【選択図】図５
0003194788.tif 000002
【実用新案登録請求の範囲】
【請求項１】
左右に立設した支持スタンドと
該支持スタンドを介して上下に配した回転体と、
該回転体の中心を水平に連絡する回転シャフトと、
該回転シャフトの一つを回転駆動させるモータと、
前記回転体を介して上下方向に駆動される棚板支持材とを備え、
該棚板支持材は、
水平棒材である支持材本体と、
該支持材本体の上下を連絡してリング状とする索条とを備え、
前記回転体は、その外周部に、前記支持材本体の端部を暫時嵌入させる凹部を備えることを特徴とする回転棚装置。
【請求項２】
回転体は、
外周部を構成する外周板材と、
該外周板材と回転軸とを連絡するスポーク材とによって構成することを特徴とする請求項１記載の回転棚装置。
【請求項３】
支持スタンドを挟む位置にピロー型のベアリングユニットを配し、
当該ベアリングユニットを介して回転シャフトの左右端部をそれぞれ支持することを特徴とする請求項１または請求項２記載の回転棚装置。
【考案の詳細な説明】
【技術分野】
【０００１】
本考案は、各種物品を載置する棚に係り、とくに複数個の載置棚を上下方向に回転駆動させる装置に関する。
【背景技術】
【０００２】
上下方向に載置棚を駆動する技術は、従来から提案されている。
【０００３】
例えば、特開２０００−３２４９５０（引用文献１）は、モータによって回転駆動するエンドレスチェーンの左右に吊下シャフトを固定し、この吊下シャフトを介して棚を上下に回転駆動する考案が提案されている。
【０００４】
エンドレスチェーンをモータとギアを介して駆動し、このエンドレスチェーンの左右に固定した支持部材を介して吊した棚を駆動する技術は、下記特許文献２、３にも開示されている。
【０００５】
かかる回転棚は、例えば、植物栽培用のポット、鉢、菌床等を載置する栽培棚としての使用が多いが、これに限らず、狭い店舗内空間を有効に利用して商品展示を行うための用途もある。植物栽培棚の場合は、例えば、ビニルハウス内の限られた空間を有効利用するための用途が多い。
【先行技術文献】
【特許文献】
【０００６】
【特許文献１】特開２０００−３２４９５０
【特許文献２】実用新案登録第３１３２６９２号
【特許文献３】実用新案登録第３１８２３０６号
【考案の開示】
【考案が解決しようとする課題】
【０００７】
従来装置の問題は、二つある。
【０００８】
第一の問題は、装置コストが高くなる点である。
【０００９】
これは、エンドレスチェーンを利用して棚を上下駆動する場合、上下方向に配したリング状のエンドレスチェーンの上下箇所にギア（歯車）が必要となるためである。装置の大きさに応じてチェーンの長さ、それに見合うギアの歯数等の設計時に、必ずしも普及型の安価な製品を使用できないことが多く、装置コストを抑えることが難しくなる事情がある。
【００１０】
第二の問題は、載置棚に重量物を載せた場合の信頼性である。
【００１１】
従来から、需要が多い植物栽培用のポット、鉢、菌床等の場合、一個の載置棚に複数個の菌床等を並べ、この棚を、例えば１０個〜２０個程度設けて、それを上下駆動する必要がある。
【００１２】
仮に、一個の菌床の重量が約１Ｋｇだとして、一つの棚に１２個の菌床を並列した場合、棚の重量を含めて一つの棚の重量は１２Ｋｇを超える。そして、棚が１４個であれば、その全体重量は１６８Ｋｇを超える重さがあり、この重量はギアによって若干分散されるが、残余重量はすべてチェーンに直接かかる。
【００１３】
チェーンは回転駆動の伝達部材であり、通常の場合、大きな引張力には弱い。このため、従来の装置では、一個の棚に載せる重量、および棚の数が大きいとチェーンが破損する等の問題を起こす可能性があった。
【００１４】
そこで、本考案の目的は、チェーンを用いずに棚を回転駆動できるようにすることにある。
【課題を解決するための手段】
【００１５】
前記目的を達成するため、本考案に係る回転棚装置は、左右に立設した支持スタンドと、該支持スタンドを介して上下に配した回転体と、該回転体の中心を水平に連絡する回転シャフトと、該回転シャフトの一つを回転駆動させるモータと、前記回転体を介して上下方向に駆動される棚板支持材とを備え、該棚板支持材は、水平棒材である支持材本体と、該支持材本体の上下を連絡してリング状とする索条（連絡紐材）とを備え、前記回転体は、その外周部に、前記支持材本体の端部を暫時嵌入させる凹部を備える（請求項１）。
【００１６】
回転体の外周部に凹部を備え、この凹部に暫時嵌入する棚板支持材（支持材本体）が回転体の回転に伴って動くので、索条を介してリング状に連絡した棚板支持材は上下に配した回転体に従って、上下楕円軌道をエンドレスで回転する。回転体が駆動源となっているので、チェーン駆動ではなくても回転棚をエンドレス駆動することが可能である。
【００１７】
回転体は、外周部を構成する外周板材と、該外周板材と回転軸とを連絡する板状スポーク材とによって構成する場合がある（請求項２）。
【００１８】
回転体は、円盤状、短寸筒状などの形状に設計できるが、板材を用いて構成することも出来る。外周板材と板状スポーク材を組み合わせれば、回転体を軽量化でき、回転シャフトを駆動するモータをより小型化できる。また、外周板材と板状スポーク材で回転体を構成すれば、製造が容易となり、材料費も抑えることが出来る利点がある。
【００１９】
支持スタンドを挟む位置にピロー型のベアリングユニットを配し、当該ベアリングユニットを介して回転シャフトの左右端部をそれぞれ支持する場合がある（請求項３）。
【００２０】
回転シャフトにかかる重量を、支持スタンドを挟む位置に配したピロー型のベアリングユニットによって分散することにより、回転シャフトの軸ぶれを抑え、安定したエンドレスの回転駆動を実現できる。
【考案の効果】
【００２１】
本考案に係る回転棚装置によれば、回転体の外周部の凹部に暫時嵌合する棚板支持材が、回転体の回転に従動して動く。棚板支持材は索条を介してリング状に構成されているので、チェーンを用いなくても上下楕円軌道をエンドレス回転する。
【図面の簡単な説明】
【００２２】
【図１】実施形態に係る回転体の位置関係を例示する図である。
【図２】図１に示す回転体の具体的形状例を示す図である。
【図３】図２に示す回転体を斜視で示す図である。
【図４】図１に示す回転体の凹部に支持材本体が嵌入した状態を例示する図である。
【図５】図４に示す支持材本体の数を増加して例示した図である。
【図６】実施形態に係る回転体と棚板支持材との関係を例示する図である
【図７】実施形態に係るガイド部材を例示する図である。
【図８】実施形態に係る支持スタンドを例示する図である。
【図９】実施形態に係るベアリングユニットの配設例を示す図である。
【図１０】実施形態に係る棚板支持材と載置棚とを例示する図である。
【図１１】本考案に係る回転棚装置を二つ並列接続する場合を例示する図である。
【考案を実施するための形態】
【００２３】
図１〜図１０は、本考案の実施形態に係る回転棚装置の一例を示するものである。この回転棚装置は、図１に示すように、左右一対の回転体１０を上下二段に設けるもので、回転体１０の外周部には適宜数の凹部１１を設ける。Ｇは、直線の仮想軸線であり、回転体１０を左右同一軸線、上下同一軸線上に配することを示すものである。
【００２４】
回転体１０は、図２、図３に示すように、外周部を構成する外周板材１２と、この外周板材１２と回転軸１８とを連絡するスポーク材１４とによって構成することが望ましい。回転体１０を軽量化するためである。外周部に板材を用いるので、回転体１０は外観形状が多角形となる。また外周板材１２の端部に立上フランジ１５を設けることにより、凹部１１を形成することが出来る。なお、以下の説明では図面の簡単のために、図１に示した円形の回転体１０を用いて説明する。
【００２５】
回転体１０の凹部１１は、図４に示すように、棚板支持材を構成する支持材本体２１が暫時嵌入できる大きさとする。凹部１１の左右幅と深さが、支持材本体２１を暫時嵌入させて回転できる寸法をもっていれば良い。また、支持材本体２１の両端部または両端部近傍には、ベアリング２２を装着することが望ましい。後に述べるガイドに沿って摺動する際の動きを滑らかにするためである。
【００２６】
左右一対の回転体１０は、その中心を水平に連絡する回転シャフト１６を備える。左右一対の回転体１０は上下二段に配するので、回転シャフト１６も上下二段に水平に配置される。そして、一方の回転シャフト１６をモータ装置Ｍによって回転駆動する。この実施形態は、上段の回転シャフト１６をモータ駆動する場合を例示した。この場合、少なくとも上段の回転シャフト１６は、回転体１０の中心を貫通してモータ装置Ｍを介した駆動を可能としておく。
【００２７】
図５に示すように、支持材本体２１は回転体１０を介して多数本をエンドレス駆動する。図面の簡略化のため、多数本の支持材本体２１の一部を一点破線Ｆを用いて示した。２４は、支持材本体２１の上下を連絡してリング状とする索条（連絡紐材）である。索条２４は、剛性と可撓性のある素材、例えば樹脂ロープ、金属ロープ、金属線等を使用することが出来る。
【００２８】
図６に示すように、本考案に係る棚板支持材２０は、支持材本体２１を索条２４によって上下に連絡し、全体としてリング状（環状）となるよう構成したものであり、回転体１０の回転に従動してエンドレスの無限軌道をもって動く。この実施形態では、上方の回転シャフト１６がモータ駆動され、例えば矢印Ａ方向に動くので、回転体１０によって支持材本体２１が凹部１１に漸次嵌入して矢印Ａ方向に動く。
【００２９】
棚板支持材２０の上下寸法、および左右寸法は、上下二段に配した回転体１０の上下寸法、および各回転体１０の左右寸法に略合致するよう設定するので、棚板支持材２０は弛むことなく無限軌道を描いて回転する。回転体１０の凹部１１の角度が、楕円軌道である棚板支持材２０の軌道から外れたときは、支持材本体２１が凹部１１から外れて、直線的な上昇下降動を行う。
【００３０】
図７に示すように、支持材本体２１の左右両端部には、支持材本体２１の直線的な上昇下降を安定させるガイド部材２６を設けておくことが望ましい。ガイド部材２６は、例えば、左右二本の直線材を上下に延設し、支持材本体２１の左右両端部に配したベアリング２２を挟んで摺動させる。ガイド部材２６は、支持材本体２１が凹部１１から外れる位置の近傍に上下開口部が位置するように配することが望ましい。ベアリング２２が、ガイド部材２６に暫時嵌入するよう、支持材本体２１の左右両端部は回転体１０の凹部１１から若干突出させておく。
【００３１】
図８は、回転体１０およびガイド部材２６の配設状態を例示するものである。回転体１０およびガイド部材２６は、支持スタンド３０を介して固定する。３１は、接地脚、３２は、スタンド本体である。なお、この図では上下の回転シャフト１６は省略した。水平方向に図示した部材は、支持材本体２１である。
【００３２】
この実施形態では、ガイド部材２６は、上段の回転体１０の上下略中央部と、下段の回転体１０の上下略中央部との間に位置するよう配する。支持材本体２１のうち、回転体１０の凹部１１に嵌入しているものを白抜きで示し、回転体１０の凹部１１から外れて直線的な動きとなるものを斜線入りで図示した。回転体１０の凹部１１に嵌入している支持材本体２１は、ガイド部材２６による案内を要しない。回転体１０そのものが、ガイドとなって機能するからである。
【００３３】
スタンド本体３２は、外側面を板材等によって覆い、エンドレス駆動される支持材本体２１の端部が外部露出しないようにすることが望ましい。衣服の巻き込み等を未然に防止するカバー材（保護材）として機能させるためである。
【００３４】
図９は、回転体１０を駆動させる上段の回転シャフト１６の支持構造を例示するもので、支持スタンド３０のスタンド本体３２を挟む位置に適宜の軸受け、例えば、ピロー型のベアリングユニット３５を配し、このベアリングユニット３５を介して、回転シャフト１６の左右端部をそれぞれ支持する場合を示している。
【００３５】
ピロー型のベアリングユニット３５は、左右に配したスタンド本体３２の上下略中間部に掛け渡した横材３４を介して配することが出来る。横材３４は、左右に配したスタンド本体３２の補強材としても機能する。なお、補強強度を高めるため、適宜数の横材３４を設けて良いことは勿論である（図示せず）。
【００３６】
スタンド本体３２を挟む位置に配したベアリングユニット３５により、回転シャフト１６の左右端部の振動が抑えられるので、回転体１０の振動、ひいては支持材本体２１の振動が抑えられ、安定した動作を実現できる。なお、下段の回転シャフト（図示せず）も同様の構成とすることが望ましい。動作を安定させるためである。
【００３７】
図１０に示すように、支持材本体２１には、適宜の係合手段、例えば逆Ｖ字状の係合部材２７を介して載置棚２８を取り付ける。この場合は、係合部材２７の上端湾曲部を支持材本体２１に係着させ、載置棚２８の左右両端部から突出させた二本の係合ピンに、係合部材２７の下端に設けた二つのフックを係合して載置棚２８を配置することが出来る。
【００３８】
係合ピンとフックによる支持点の数は適宜設定する。係合部材２７は、支持材本体２１の左右両端部に配するだけで良いが、中間部等、適宜箇所に補強用の係合手段を設けても良い。載置棚２８には、適宜数の孔２９を設ける。菌床、植物ポットなどから流下する水を下方に逃がすためである。
【００３９】
なお、モータ装置Ｍは、図示しない制御スイッチを介して駆動する。好ましくは一方向の正転（矢印Ａ方向）に限らず、逆転動も可能にしておく。作業中の停止位置を微調整できるようにするためである。
【００４０】
従って、かかる構成によれば、載置棚２８を吊す支持材本体２１は、モータ装置Ｍと回転シャフト１６を介して駆動される上段の回転体１０に従動する。各支持材本体２１は索条２４によってリング状に連結されており、下段の回転体１０の凹部１１にも嵌入しているから、上段の回転体１０の動作に牽引され、結果として下段の回転体１０も回転し、棚板支持材２０がエンドレスの楕円軌道を回転することになる。このため、従来装置のようにチェーンや歯車機構を用いなくても棚板支持材２０を回転駆動することが可能となり、装置コストを確実に低減できる。また、チェーン破損等の故障確率も減るので、メンテナンス費用も抑えることが出来る。
【００４１】
支持材本体２１は、左右端部近傍にベアリング２２を備え、当該ベアリング２２が凹部１１に嵌入するので、回転体１０の回転に伴う軸の回転は生じない。支持材本体２１の左右端部はガイド部材２６に遊嵌して案内される。
【００４２】
本考案に係る回転棚装置は、前記説明のものに限定されない。例えば、図２、図３に示した回転体１０は、外周板材１２が正八角形となるよう図示したが、他の多角形であってもよい。例えば正三角形、正方形、正五角形、正六角形等である。いずれの場合も、頂点に凹部１１ができるよう立上フランジ１５を設けることが望ましい。外周板材１２は金属の板材を使用することが望ましい。スポーク材１４は、例えば金属製の板材を用いることが望ましいが、剛性を確保できる場合は金属又は樹脂製の丸材、角材、およびそれらの管材を用いても良い。回転体１０は、円盤状または筒状に成形しても良い。回転中心から凹部１１までの距離が等しい限り、棚板支持材２０をエンドレスで駆動できるからである。
【００４３】
スタンド本体３２の接地脚３１は、ボルト等を介して床または地面にしっかりと固定する。スタンド本体３２に補強用の横材を設ける場合は、載置棚２８に載せた菌床等の取り扱い作業に支障が出ない位置、例えば、上端部近傍や下端部近傍に配することが好ましい。
【００４４】
索条２４は、上下の支持材本体２１から外れないようにする。金属線を用いる場合は捻転によって結合させても良いが、好ましくは、例えば強度の高いリング材を用いて支持材本体２１に結合させておく。
【００４５】
載置棚２８の形状は問わない。板状でも良いが、載置する容器等のスペースを区切る背高の低い仕切板を立設しても良い。
【００４６】
左右に支持スタンド３０を備える回転棚装置（図８、図９参照）を、並列させて二連構成とすることも可能である。図１１に示すように、回転シャフト１６をベアリング５０を介して連絡すれば、一つの駆動モータによって並列する回転シャフト１６を駆動できるからである。
【符号の説明】
【００４７】
１０  回転体
１１  凹部
１２  外周板材
１４  スポーク材
１５  立上フランジ
１６  回転シャフト
１８  回転軸
２０  棚板支持材
２１、Ｆ  支持材本体
２２、５０  ベアリング
２４  索条
２６  ガイド部材
２７  係合部材
２８  載置棚
２９  孔
３０  支持スタンド
３１  接地脚
３２  スタンド本体
３４  横材
３５  ベアリングユニット
Ａ  （回転体の）回転方向
Ｇ  仮想軸線
Ｍ  モータ装置
【図１】
0003194788.tif 000003
【図２】
0003194788.tif 000004
【図３】
0003194788.tif 000005
【図４】
0003194788.tif 000006
【図５】
0003194788.tif 000007
【図６】
0003194788.tif 000008
【図７】
0003194788.tif 000009
【図８】
0003194788.tif 000010
【図９】
0003194788.tif 000011
【図１０】
0003194788.tif 000012
【図１１】
0003194788.tif 000013